(57)【要約】【課題】カートリッジ装着部からインクカートリッジが取り外されている場合でも、印刷に使用されていたインクの種類を特定できるインクジェットプリンターを提供すること。【解決手段】インクジェットプリンター１は、カートリッジ装着部３６と、印刷ヘッド２と、印刷ヘッド２を、記録紙５に印刷を行う印刷領域２５に対向する印刷位置Ａと当該印刷領域２５とは異なる非印刷領域２６、２７に対向する非印刷位置Ｂ１、Ｂ２との間で移動させる移動機構７を備える。また、インクジェットプリンター１は、カートリッジ装着部３６に装着されたインクカートリッジ３５からインク情報を取得するインク情報取得部４６と、移動機構７を駆動して印刷ヘッド２を非印刷位置Ｂ１、Ｂ２に配置して、インク情報に基づいて印刷ヘッド２から非印刷領域２６、２７にインクと吐出させるインク記録部４７を有する。【選択図】図１
2017074741.tif 000002
【特許請求の範囲】
【請求項１】
インクカートリッジが着脱可能に保持されるカートリッジ装着部と、
前記カートリッジ装着部に装着されたインクカートリッジからインクの供給を受ける印刷ヘッドと、
前記印刷ヘッドを、記録紙に印刷が行われる印刷領域に対向する印刷位置と当該印刷領域とは異なる非印刷領域に対向する非印刷位置との間で移動させる移動機構と、
前記カートリッジ装着部に装着されたインクカートリッジから当該インクカートリッジに貯留された前記インクの種類を含むインク情報を取得するインク情報取得部と、
前記移動機構を駆動して前記印刷ヘッドを前記非印刷位置に配置して、前記インク情報に基づいて前記印刷ヘッドから前記非印刷領域に前記インクを吐出させるインク記録部と、
を有することを特徴とするインクジェットプリンター。
【請求項２】
請求項１において、
前記非印刷領域に配置される印刷媒体と、
前記インク情報に対応付けられる印刷データを記憶保持する記憶部と、を有し、
前記インク記録部は、前記インク情報に対応する前記印刷データを前記印刷媒体に印刷することを特徴とするインクジェットプリンター。
【請求項３】
請求項１において、
前記非印刷領域には前記インクを受けるためのトレーが配置されていることを特徴とするインクジェットプリンター。
【請求項４】
請求項１において、
前記インク記録部は、前記非印刷領域のうち前記インク情報に対応付けられた領域部分に前記印刷ヘッドから前記インクを吐出させることを特徴とするプリンター。
【請求項５】
請求項１ないし４のうちのいずれかの項において、
前記インク記録部は、前記印刷ヘッドに前記インクが初めて充填される初期充填の際に、前記印刷ヘッドから前記非印刷領域に前記インクを吐出させることを特徴とするプリンター。
【請求項６】
カートリッジ装着部に着脱可能に装着されたインクカートリッジから当該インクカートリッジに貯留されたインクの種類を含むインク情報を取得し、
記録紙に印刷が行われる印刷領域に対向する印刷位置と当該印刷領域とは異なる非印刷領域に対向する非印刷位置との間を移動する印刷ヘッドに前記インクカートリッジから前記インクを供給し、
前記印刷ヘッドを前記非印刷位置に移動させ、前記インク情報に基づいて前記印刷ヘッドから前記非印刷領域に前記インクを吐出することを特徴とするインクジェットプリンターの制御方法。
【請求項７】
請求項６において、
前記非印刷領域に印刷媒体を配置するとともに、前記インクのインク情報に対応付けた複数の印刷データを記憶部に記憶保持しておき、
前記印刷ヘッドから前記非印刷領域にインクを吐出する際に、前記インク情報に対応する前記印刷データを前記印刷媒体に印刷することを特徴とするインクジェットプリンターの制御方法。
【請求項８】
請求項６において、
前記非印刷領域にトレーが配置され、前記トレーに前記インクを吐出することを特徴とするインクジェットプリンターの制御方法。
【請求項９】
請求項６において、
前記非印刷領域のうち前記インク情報に対応付けられた領域部分に前記インクを吐出することを特徴とするプリンターの制御方法。
【請求項１０】
請求項６ないし９のうちのいずれかの項において、
前記印刷ヘッドに前記インクが初めて充填される初期充填の際に、前記印刷ヘッドから前記非印刷領域に前記インクを吐出させることを特徴とするプリンターの制御方法。
【発明の詳細な説明】
【技術分野】
【０００１】
本発明は、カートリッジ装着部に着脱可能に装着されるインクカートリッジから印刷ヘッドにインクが供給されるインクジェットプリンターおよびインクジェットプリンターの制御方法に関する。
【背景技術】
【０００２】
インクジェットプリンターを使用する際に、ユーザーは、印刷に用いる印刷媒体の種類や所望する印刷品質に応じて、インクを選択する。特許文献１には、印刷媒体として光沢紙を用いる場合にはフォトブラックインクが適し、コート紙を用いる場合には、フォトブラックインクとマットブラックインクが適することが記載されている。特許文献２には、カラー写真画像の印刷に際しては、通常の濃度のインクよりも低い濃度のインクが適することが記載されている。
【先行技術文献】
【特許文献】
【０００３】
【特許文献１】特開２００６−２４４２３９号公報
【特許文献２】特開２００４−１７１４９４号公報
【発明の概要】
【発明が解決しようとする課題】
【０００４】
故障したインクジェットプリンターを修理した場合には、修理結果を評価するために当該インクジェットプリンターで印刷を行い、その印刷結果を検証する。ここで、修理結果の評価は、故障したインクジェットプリンターを持ち込んだユーザーの使用状況に合わせてユーザーが使用していたインクと同一の種類のインクを用いて行うことが望ましい。しかし、修理に持ち込まれたときに、カートリッジ装着部からインクカートリッジが取り外されている場合には、ユーザーがどのような種類のインクを使用していたのかを把握できず、ユーザーが使用していたインクによる評価ができないという問題がある。
【０００５】
本発明の課題は、このような点に鑑みて、カートリッジ装着部からインクカートリッジが取り外されている場合でも、印刷に使用されていたインクの種類を知ることができるインクジェットプリンターおよびインクジェットプリンターの制御方法を提案することにある。
【課題を解決するための手段】
【０００６】
上記の課題を解決するために、本発明のインクジェットプリンターは、インクカートリッジが着脱可能に保持されるカートリッジ装着部と、前記カートリッジ装着部に装着されたインクカートリッジからインクの供給を受ける印刷ヘッドと、前記印刷ヘッドを、記録紙に印刷が行われる印刷領域に対向する印刷位置と当該印刷領域とは異なる非印刷領域に対向する非印刷位置との間で移動させる移動機構と、前記カートリッジ装着部に装着されたインクカートリッジから当該インクカートリッジに貯留された前記インクの種類を含むインク情報を取得するインク情報取得部と、前記移動機構を駆動して前記印刷ヘッドを前記非印刷位置に配置して、前記インク情報に基づいて前記印刷ヘッドから前記非印刷領域に前記インクを吐出させるインク記録部と、を有することを特徴とする。
【０００７】
本発明によれば、インクジェットプリンターは、非印刷領域にインクを吐出して使用されたインクの痕跡を残す。従って、非印刷領域に吐出されたインクを調べれば、カートリッジ装着部からインクカートリッジが取り外されている場合でも、インクジェットプリンターで使用されたインクの種類を判別できる。
【０００８】
本発明において、前記非印刷領域に配置される印刷媒体と、前記インク情報に対応付けられる印刷データを記憶保持する記憶部と、を有し、前記インク記録部は、前記インク情報に対応する前記印刷データを前記印刷媒体に印刷するものとすることができる。このようにすれば、印刷媒体に印刷された文字、コード、画像などを確認することにより、使用されていたインクの種類を判別できる。
【０００９】
本発明において、前記非印刷領域には前記インクを受けるためのトレーが配置されているものとすることができる。このようにすれば、トレーに吐出されたインクを、薬品などを用いて調べることにより、使用されていたインクの種類を判別できる。
【００１０】
本発明において、前記インク記録部は、前記非印刷領域のうち前記インク情報に対応付けられた領域部分に前記印刷ヘッドから前記インクを吐出させるものとすることができる。このようにすれば、非印刷領域のうちのいずれの領域部分にインクが吐出されたかを確認することにより、使用されていたインクの種別を判別できる。
【００１１】
本発明において、前記インク記録部は、前記印刷ヘッドに前記インクが初めて充填される初期充填の際に、前記印刷ヘッドから前記非印刷領域に前記インクを吐出させるものとすることができる。インクジェットプリンターでは、印刷ヘッドを初めて使用する際に、カートリッジ装着部から印刷ヘッドに至るインク流路および印刷ヘッドにインクを充填する初期充填動作が行われる。従って、このような初期順手動作の際に、印刷ヘッドから非印刷領域にインクを吐出すれば、使用されていたインクを把握しやすい。
【００１２】
次に、本発明のインクジェットプリンターの制御方法は、カートリッジ装着部に着脱可能に装着されたインクカートリッジから当該インクカートリッジに貯留されたインクの種類を含むインク情報を取得し、記録紙に印刷が行われる印刷領域に対向する印刷位置と当該印刷領域とは異なる非印刷領域に対向する非印刷位置との間を移動する印刷ヘッドに前記インクカートリッジから前記インクを供給し、前記印刷ヘッドを前記非印刷位置に移動させ、前記インク情報に基づいて前記印刷ヘッドから前記非印刷領域に前記インクを吐出することを特徴とする。
【００１３】
本発明によれば、インクジェットプリンターが非印刷領域にインクを吐出する。従って、非印刷領域に吐出されたインクを調べれば、カートリッジ装着部からインクカートリッジが取り外されている場合でも、インクジェットプリンターで使用されたインクの種類を判別できる。
【００１４】
本発明において、前記非印刷領域に印刷媒体を配置するとともに、前記インクのインク情報に対応付けた複数の印刷データを記憶部に記憶保持しておき、前記印刷ヘッドから前記非印刷領域にインクを吐出する際に、前記インク情報に対応する前記印刷データを前記印刷媒体に印刷するものとすることができる。このようにすれば、印刷媒体に印刷された文字やコードや画像などを確認することにより、使用されていたインクの種類を判別できる。
【００１５】
本発明において、前記非印刷領域にトレーが配置され、前記トレーに前記インクを吐出するものとすることができる。このようにすれば、トレーに吐出されたインクを、薬品などを用いて調べることにより、使用されていたインクの種類を判別できる。
【００１６】
本発明において、前記非印刷領域のうち前記インク情報に対応付けられた領域部分に前記インクを吐出するものとすることができる。このようにすれば、非印刷領域のうちのいずれの領域部分にインクが吐出されたかを確認することにより、使用されていたインクの種別を判別できる。
【００１７】
本発明において、前記印刷ヘッドに前記インクが初めて充填される初期充填の際に、前記印刷ヘッドから前記非印刷領域に前記インクを吐出させるものとすることができる。インクジェットプリンターでは、印刷ヘッドを初めて使用する際に、カートリッジ装着部から印刷ヘッドに至るインク流路および印刷ヘッドにインクを充填する初期充填動作が行われる。従って、このような初期充填動作の際に、印刷ヘッドから非印刷領域にインクを吐出すれば、インクジェットプリンターで使用されたインクを把握しやすい。
【図面の簡単な説明】
【００１８】
【図１】本発明を適用したインクジェットプリンターの説明図である。
【図２】インクジェットプリンターの制御系の概略ブロック図である。
【図３】非印刷領域に印刷データを印刷した状態の説明図である。
【図４】初期充填動作の説明図である。
【図５】非印刷領域に印刷データを印刷した状態の説明図である。
【図６】非印刷領域の領域部分にインクを吐出した状態の説明図である。
【図７】非印刷領域にトレーを配置した場合の平面図である。
【発明を実施するための形態】
【００１９】
以下に、図面を参照して、本発明の実施形態のインクジェットプリンターを説明する。
【００２０】
（全体構成）
図１は本発明の実施形態に係るインクジェットプリンター（以下、単に「プリンター」という。）の説明図である。本例のプリンター１は、印刷ヘッド２と、印刷ヘッド２による印刷位置Ａを経由して延びる記録紙搬送路３と、記録紙搬送路３に沿って記録紙５を搬送する搬送機構６とを有する。また、プリンター１は、印刷ヘッド２を記録紙搬送路３と直交する幅方向Ｘに移動させる移動機構７と、印刷ヘッド２にインクを供給するインク供給機構８とを備える。印刷ヘッド２はインクジェットヘッドである。また、プリンター１はシリアルプリンターであり、印刷位置Ａにおいて印刷ヘッド２が幅方向Ｘに走査されながら、印刷位置Ａを間欠的に搬送される記録紙５に印刷が施される。
【００２１】
搬送機構６は、記録紙５を搬送する搬送ローラー１１と、搬送ローラー１１の駆動源である搬送モーター１２とを備える。移動機構７は、キャリッジ１４と幅方向Ｘに掛け渡したキャリッジガイド軸１５と、キャリッジガイド軸１５に沿ってキャリッジ１４を移動させるキャリッジ移動機構１６とを備える。キャリッジ１４にはインクノズル面２ａを記録紙搬送路３に向けた姿勢で印刷ヘッド２が搭載される。キャリッジ移動機構１６は、キャリッジガイド軸１５の両端に近い位置に配置された一対のプーリー１７と、一対のプーリー１７に掛け渡されたタイミングベルト１８と、一方のプーリー１７を駆動するためのキャリッジモーター１９を備える。キャリッジ１４はタイミングベルト１８に接続されている。
【００２２】
キャリッジモーター１９の駆動によりキャリッジ１４が移動すると、印刷ヘッド２はキャリッジ１４と一体に移動する。ここで、印刷ヘッド２は、幅方向Ｘにおいて、記録紙搬送路３の第１方向Ｘ１の側のホームポジションＨＰと、記録紙搬送路３の第１方向Ｘ１とは反対の第２方向Ｘ２の側のアウェイポジションＡＰとの間を移動する。ホームポジションＨＰには、ヘッドメンテナンス機構２１が設置される。ヘッドメンテナンス機構２１は、ヘッドキャップ２２と、ヘッドキャップ２２を昇降させる昇降機構２３とを有する。昇降機構２３は、その駆動源として昇降モーター２４を備える。ヘッドメンテナンス機構２１は、印刷ヘッド２がホームポジションＨＰに位置すると、ヘッドキャップ２２を上昇させて、印刷ヘッド２のインクノズル面２ａを覆う。また、ヘッドメンテナンス機構２１は、印刷ヘッド２が印刷位置Ａに移動する際に、ヘッドキャップ２２を下降させてインクノズル面２ａを解放する。アウェイポジションＡＰは、印刷ヘッド２の移動範囲の第２方向Ｘ２の端である。
【００２３】
ここで、記録紙搬送路３は、記録紙５に印刷を行うことが可能な印刷領域であり、この印刷領域に対向する印刷ヘッド２の位置は、印刷位置Ａである。また、記録紙搬送路３から第１方向Ｘ１に外れた領域は、記録紙５に印刷を施すことができない第１方向側非印刷領域２６であり、第１方向側非印刷領域２６に対向する印刷ヘッド２の位置は第１方向側非印刷位置Ｂ１である。また、記録紙搬送路３から第２方向Ｘ２に外れた領域は、記録紙５に印刷を施すことができない第２方向側非印刷領域２７であり、第２方向側非印刷領域２７に対向する印刷ヘッド２の位置は第２方向側非印刷位置Ｂ２である。
【００２４】
第１方向側非印刷領域２６におけるホームポジションＨＰと記録紙搬送路３との間の第１領域部分２６ａには、印刷用紙の小片などの第１印刷媒体３１が配置されている。また、アウェイポジションＡＷと記録紙搬送路３の間の第２領域部分２７ａには、印刷用紙の小片などの第２印刷媒体３２が配置される。
【００２５】
インク供給機構８は、インクカートリッジ３５が着脱可能に装着されるカートリッジ装着部３６と、カートリッジ装着部３６と印刷ヘッド２とを接続するインク流路３７と、インク流路３７を介してインクカートリッジ３５から印刷ヘッド２にインクを供給する供給機構３８を備える。供給機構３８はインクカートリッジ３５から印刷ヘッド２に至るインク流路３７および印刷ヘッド２内のヘッド内流路２ｂにインクを充填した状態とするためのポンプ（不図示）などを備える。
【００２６】
ここで、インクカートリッジ３５は、当該インクカートリッジ３５に貯留されたインクのインク情報を記憶保持する記憶装置３５ａを有する。一方、カートリッジ装着部３６は、カートリッジ装着部３６に装着されたインクカートリッジ３５の記憶装置３５ａと電気的に接続可能な端子部３６ａを備える。
【００２７】
（制御系）
図２はプリンター１の制御系を示す概略ブロック図である。図３はインク記録動作にける第１印刷媒体３１および第２印刷媒体３２への印刷例である。プリンター１の制御系はＣＰＵを備える制御部４０を中心に構成されている。制御部４０には、外部の機器との間で通信を行うための通信部４１と、記憶部４２が接続されている。制御部４０の入力側には端子部３６ａが接続されている。また、制御部４０の出力側には、印刷ヘッド２、搬送モーター１２、キャリッジモーター１９、および昇降モーター２４が接続されている。
【００２８】
制御部４０は、初期充填制御部４４、印刷制御部４５、インク情報取得部４６、および、インク記録部４７を備える。
【００２９】
初期充填制御部４４は、印刷ヘッド２が初めて印刷に用いられるときに、インクの初期充填動作を行う。初期充填動作では、初期充填制御部４４は、インク供給機構８の供給機構３８を駆動制御してインクカートリッジ３５から印刷ヘッド２にインクを供給し、カートリッジ装着部３６から印刷ヘッド２に至るインク流路３７および印刷ヘッド２のヘッド内流路２ｂをインクで満たす。
【００３０】
印刷制御部４５は、通信部４１を介して外部の機器から印刷データが供給されると、搬送モーター１２を駆動して記録紙５を記録紙搬送路３に沿って間欠的に搬送する。また、印刷制御部４５は、キャリッジモーター１９を駆動して印刷ヘッド２を印刷位置Ａに移動させて走査させるともに、印刷ヘッド２を駆動して、印刷データを記録紙５に印刷する。
【００３１】
インク情報取得部４６は、カートリッジ装着部３６にインクカートリッジ３５が装着されると、端子部３６ａを介して記憶装置３５ａに記憶保持されたインク情報を取得する。本例では、インク情報は、インクカートリッジの製品番号である。製品番号は、インクカートリッジに貯留されたインクの種類を示す。なお、インクカートリッジ３５に貯留されているインクには、インクの色やインクの濃度が異なる複数の種類がある。また、インクには、マットインクやフォトインクのように印刷媒体の種類に適合させた複数の種類がある。各種類のインクを貯留するインクカートリッジ３５には、それぞれ異なる製品番号が付されている。
【００３２】
インク記録部４７は、初期充填動作において、印刷ヘッド２から第１方向側非印刷領域２６および第２方向側非印刷領域２７にインクを吐出させるインク記録動作を行う。より具体的には、初期充填動作において、インク流路３７およびヘッド内流路２ｂへのインクの充填が終了すると、キャリッジモーター１９を駆動して、印刷ヘッド２を第１方向側非印刷領域２６に移動させる。そして、印刷ヘッド２を駆動して、第１方向側非印刷領域２６に配置された第１印刷媒体３１にインクを吐出する。また、キャリッジモーター１９を駆動して、印刷ヘッド２を第２方向側非印刷領域２７に移動させる。そして、印刷ヘッド２を駆動して、第２方向側非印刷領域２７に配置された第２印刷媒体３２にインクを吐出する。なお、インク記録部４７は第１方向側非印刷領域２６および第２方向側非印刷領域２７のいずれか一方にのみインクを吐出するものとしてもよい。
【００３３】
ここで、記憶部４２には、複数の印刷データがインク情報と対応付けられた形態で保持される。本例では、インク情報とインクカートリッジ３５の製品番号を印刷する印刷データが対応付けられる。従って、インク記録部４７は、印刷ヘッド２からインクを吐出する際に、記憶部４２に参照して初期充填時にインク情報取得部４６が取得したインク情報に対応付けられた印刷データを取得する。そして、インク記録部４７は、取得した印刷データを印刷媒体に印刷する。この結果、図３に示すように、印刷媒体３１、３２には、初期充填に用いられたインクカートリッジ３５の製品番号が印刷される。
【００３４】
（初期充填時におけるインク記録動作）
カートリッジ装着部３６にインクカートリッジ３５が装着されると、プリンター１は、インクカートリッジ３５からインク情報を取得する（ステップＳＴ１）。また、プリンター１は、インク供給機構８を駆動してインクの初期充填動作を行う（ステップＳＴ２）。
【００３５】
初期充填動作では、プリンター１は、インク供給機構８によりインクカートリッジ３５から印刷ヘッド２にインクを供給してインク流路３７およびヘッド内流路２ｂをインクで満たす（ステップＳＴ２１）。インク流路３７およびヘッド内流路２ｂにインクが充填されると、プリンター１は、印刷ヘッド２を第１方向側非印刷位置Ｂ１に移動させる。そして、プリンター１は、インク情報に対応付けられた印刷データを第１印刷媒体３１に印刷する。また、プリンター１は、印刷ヘッド２を第２方向側非印刷位置Ｂ２に移動させる。そして、プリンター１は、インク情報に対応付けられた印刷データを第２印刷媒体３２に印刷する（ステップＳＴ２２）。
【００３６】
（作用効果）
本例によれば、インクジェットプリンター１は、初期充填時に非印刷領域２６、２７にインクを吐出して、使用するインクの痕跡を残す。従って、非印刷領域２６、２７に吐出されたインクを調べれば、カートリッジ装着部３６からインクカートリッジ３５が取り外されている場合でも、インクジェットプリンター１で使用されていたインクの種類を判別できる。また、非印刷領域２６、２７にはそれぞれ印刷媒体３１、３２が配置されており、インクの吐出により、印刷媒体３１、３２にはインク情報に対応する製品番号が印刷される。従って、印刷媒体３１、３２を確認することにより、使用されていたインクの種類を判別できる。
【００３７】
ここで、故障したインクジェットプリンター１を修理した場合には、修理結果を評価するために当該インクジェットプリンター１で印刷を行い、その印刷結果を検証する。修理結果の評価は、故障したインクジェットプリンター１を持ち込んだユーザーの使用状況に合わせてユーザーが使用していたインクと同一の種類のインクを用いて行うことが望まれる。しかし、修理に持ち込まれたときに、カートリッジ装着部３６からインクカートリッジ３５が取り外されている場合には、ユーザーがどのような種類のインクを使用していたのかを把握できず、ユーザーが使用していたインクによる評価ができないという問題がある。このような問題に対して、本例では、非印刷領域２６、２７に配置された印刷媒体３１、３２を確認することでインクカートリッジ３５の製品番号を把握できるので、使用されたインクの種類を特定できる。従って、修理結果の評価を、ユーザーが使用していたインクで行うことができる。
【００３８】
（変形例）
なお、上記の例では、印刷データはインクカートリッジ３５の製品番号を印刷するものであるが、インク情報を保持する２次元コードを印刷するものとしてもよい。図５（ａ）は、非印刷領域２６、２７に配置された印刷媒体３１、３２に２次元コードを印刷した例である。２次元コードは、例えば、製品番号を保持するものとすることができる。また、印刷データは、図５（ｂ）〜図５（ｅ）のそれぞれ示すように、インクの種類を示す番号、文字、記号、図形などを印刷するものとしてもよい。
【００３９】
また、インク記録部４７は、非印刷領域２６、２７のうちインク情報に対応付けられた領域部分にインクを吐出させるものとすることができる。図６は、インク情報に対応付けられた領域部分にインクを吐出させた状態の説明図である。
【００４０】
例えば、図６（ａ）に示すように、インク情報に基づいて、第１方向側非印刷領域２６または、第２方向側非印刷領域２７のいずれか一方にのみにインクを吐出してもよい。これの場合には、インクが吐出された非印刷領域２６、２７を検出することにより、インクの種別を判別できる。また、図６（ｂ）に示すように、インク情報に基づいて、非印刷領域２６、２７に区画した領域部分２６ａ、２６ｂ、２７ａ、２７ｂのいずれかにインクを吐出してもよい。これらの場合には、インクが吐出された領域部分２６ａ、２６ｂ、２７ａ、２７ｂを検出することにより、インクの種別を判別できる。
【００４１】
また、非印刷領域２６、２７にインクを受けるためのトレーを配置してもよい。図７は非印刷領域２６、２７にトレー５０を配置した状態の平面図である。この場合には、インク記録部４７は、初期充填時に予め定めた所定量のインクをトレー５０に向かって吐出するものとする。このようにすれば、インクジェットプリンター１が修理に持ち込まれたときに、トレー５０に吐出されたインクを、薬品などを用いて調べることにより、インクの種類を判別できる。
【００４２】
なお、インク記録部４７は、初期充填時に第１方向側非印刷領域２６および第２方向側非印刷領域２７の一方にインクを吐出するものとし、その後に行われたインクカートリッジ３５の交換時に、第１方向側非印刷領域２６および第２方向側非印刷領域２７の他方にインクを吐出するものとすることもできる。
【００４３】
また、上記の例は、シリアルプリンターに本発明を適用したものであるが、ラインプリンターにおいても、ヘッド移動機構を備え、印刷ヘッドが印刷位置と非印刷位置との間を移動するものであれば、本発明を適用できる。
【符号の説明】
【００４４】
１…プリンター（インクジェットプリンター）、２…印刷ヘッド、２ａ…インクノズル面、２ｂ…ヘッド内流路、３…記録紙搬送路、５…記録紙、６…搬送機構、７…移動機構、８…インク供給機構、１１…搬送ローラー、１２…搬送モーター、１４…キャリッジ、１５…キャリッジガイド軸、１６…キャリッジ移動機構、１７…プーリー、１８…タイミングベルト、１９…キャリッジモーター、２１…ヘッドメンテナンス機構、２２…ヘッドキャップ、２３…昇降機構、２４…昇降モーター、２５…印刷領域、２６…第１方向側非印刷領域、２６ａ…第１領域部分、２７…第２方向側非印刷領域、２７ａ…第２領域部分、３１…第１印刷媒体、３２…第２印刷媒体、３５…インクカートリッジ、３５ａ…記憶装置、３６…カートリッジ装着部、３６ａ…端子部、３７…インク流路、３８…供給機構、４０…制御部、４１…通信部、４２…記憶部、４４…初期充填制御部、４５…印刷制御部、４６…インク情報取得部、４７…インク記録部、５０…トレー、Ａ…印刷位置、ＡＰ…アウェイポジション、ＨＰ…ホームポジション、Ｂ１…第１方向側非印刷位置、Ｂ２…第２方向側非印刷位置、Ｘ…幅方向、Ｘ１…第１方向、Ｘ２…第２方向。
【図１】
2017074741.tif 000003
【図２】
2017074741.tif 000004
【図３】
2017074741.tif 000005
【図４】
2017074741.tif 000006
【図６】
2017074741.tif 000007
【図７】
2017074741.tif 000008
【図５】
2017074741.tif 000009